【事件の表示】
　平成１０年特許願第　６５８２３号「印刷機のシート状物排出装置」拒絶査定不服審判事件〔平成１１年　９月２８日出願公開、特開平１１−２６２９９６〕について、次のとおり審決する。
【結　論】
　本件審判の請求は、成り立たない。
【理　由】
第１　手続の経緯
　本件出願（以下「本願」という。）は、平成１０年３月１６日の出願であって、平成１８年１０月２３日付けで拒絶の理由が通知され、平成１９年３月２２日付けで拒絶査定がなされ、これに対し、同年４月２６日に本件審判が請求されるとともに、同年５月２１日付けで明細書についての手続補正がなされたものである。
　
第２　平成１９年５月２１日付けの手続補正についての補正の却下の決定
［補正の却下の決定の結論］
  平成１９年５月２１日付けの手続補正（以下「本件補正」という。）を却下する。
〔理由〕
１　補正の内容
（１）本件補正は、特許請求の範囲及び発明の詳細な説明を補正するものであり、特許請求の範囲については、本件補正前に、
「【請求項１】　印刷されたシート状物を搬送するシート状物搬送手段と、このシート状物搬送手段の搬送方向に並べられシート状物を積載する複数のシート状物積載装置と、前記シート状物搬送手段によるシート状物の搬送方向の最上流側に位置するシート状物積載装置と印刷ユニットとの間に設けられ前記シート状物にスプレー粉を噴射するスプレー粉噴射装置と、飛散したスプレー粉を吸い込む集塵装置とを備えた印刷機のシート状物排出装置において、前記集塵装置を第１の集塵装置と第２の集塵装置とで構成し、前記第１の集塵装置を、最上流側に位置するシート状物積載装置よりもシート状物搬送手段によるシート状物の搬送方向の上流側またはこの最上流側に位置するシート状物積載装置の上方に設けるとともに、前記第２の集塵装置を、搬送方向に並べられたシート状物積載装置間に設けたことを特徴とする印刷機のシート状物排出装置。」とあったものを、
　
「【請求項１】　印刷されたシート状物を搬送するシート状物搬送手段と、このシート状物搬送手段の搬送方向に並べられシート状物を積載する複数のシート状物積載装置と、
前記シート状物にスプレー粉を噴射するスプレー粉噴射装置と
前記スプレー粉噴射装置を前記シート状物搬送手段によるシート状物の搬送方向の最上流側に位置するシート状物積載装置と印刷ユニットとの間のみに設け、
　
（２）上記（１）の本件補正後の請求項１に係る補正は、本件補正前の請求項１の発明特定事項である「前記シート状物搬送手段によるシート状物の搬送方向の最上流側に位置するシート状物積載装置と印刷ユニットとの間に設けられ前記シート状物にスプレー粉を噴射するスプレー粉噴射装置」について、「前記シート状物搬送手段によるシート状物の搬送方向の最上流側に位置するシート状物積載装置と印刷ユニットとの間『のみ』に設け」として、「スプレー粉噴射装置」の設ける箇所を限定し、それに伴い、記載の順序を変えたものである。
　
２　補正の目的
　本件補正後の請求項１に係る補正は、上記１（２）のとおり、本件補正前の請求項１の発明特定事項を限定するものであるから、平成１８年法律第５５号改正附則第３条第１項によりなお従前の例によるとされる同法による改正前の特許法第１７条の２第４項第２号に掲げる特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）を目的とするものである。
　
　したがって、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物
（１）本願出願前に頒布された刊行物であって、原査定の拒絶の理由に引用された特開平９−２１６３４２号公報（以下「引用例１」という。）には、以下の記載が図示とともにある。
　ア　「【０００１】
【発明の属する技術分野】本発明は、枚葉オフセット印刷機に関し、特にデリバリー部に複数のパイル部を有するものにおいて、被印刷物のブロッキング防止のために散布するパウダーの量の制御に特徴のある枚葉オフセット印刷機に関する。
【０００２】
【従来の技術】従来の枚葉オフセット印刷機は、デリバリー部にパイル部がシングル、複数（多連）にかかわらず、パウダースプレー装置は１台しか装備されていなかった。そして、印刷中は被印刷物が通過すれば常に散布されるようになっていた。このため、印刷準備中の調整用の被印刷物や不良検知装置で不良と判断されたものにもパウダーをまいてしまいムダが生じていた。また、パイル部が複数あるものにおいては、パウダースプレー装置からオペレータに一番近いパイル部までの距離が長くなり、オペレータがパイル部のパウダーの量をチェックして又、搬送途中でのパウダーの飛散を考慮してパウダースプレー装置の散布量を調整するが、オペレータから離れたパイル部では設定より多くなってしまい、全体としてパウダー散布量が過剰となり、後面印刷時の着肉不良、ブランパイリング（ブランケットにパウダーや紙粉が付着すること）、潤滑オイルへのパウダーの混入による各部作動不良、電気回線トラブル、印刷面の光沢低下による品質の悪化等の印刷障害の原因となっていた。
【０００３】図３に従来のデリバリー部の部分拡大説明図を示す。デリバリーチェーン８で送られてきた被印刷物はパウダースプレー装置５によりパウダーを散布されパイル部６ａまたは６ｂに排出される。オペレーターはパイル部６ｂの被印刷物の表面をチェックし又、搬送途中でのパウダーの飛散を考慮して散布量を調節するので、パウダースプレー装置５に近いパイル部６ａは過剰になってしまう。」
　イ　図３より、パイル部６ａ及びパイル部６ｂが被印刷物を搬送させるデリバリーチェーン８の移動方向に並べられていることが看取できる。
　ウ　図３に記載されている従来の枚葉オフセット印刷装置のデリバリー部の上流側に、印刷ユニットがあることが明らかである（図１参照。）ので、従来のデリバリー部の部分拡大説明図である図３の記載から、パウダースプレー装置が１台しか装備されていない従来の枚葉オフセット印刷装置において、そのパウダースプレー装置５は、最上流側に位置するパイル６ａと、印刷ユニットとの間に設けられていることが看取できる。
（２）上記（１）アないしウから、引用例１には次の発明（以下「引用発明１」という。）が記載されていると認める。
　
「印刷された被印刷物を搬送させるデリバリーチェーンと、当該デリバリーチェーンの移動方向に並べられた第１パイル部及び第２パイル部と、被印刷物にブロッキング防止のためのパウダーを散布するパウダースプレー装置とを備えた枚葉オフセット印刷装置のデリバリー部であって、前記パウダースプレー装置は、１台しか装備されておらず、該１台のパウダースプレー装置を、最上流側に位置する第１パイル部と、印刷ユニットとの間に設けた枚葉オフセット印刷装置の被印刷物をパイル部に排出するデリバリー部。」
　
（３）本願出願前に頒布された刊行物であって、原査定の拒絶の理由に引用された特開平８−２９５００７号公報（以下「引用例２」という。）には、以下の記載が図示とともにある。
　「【０００１】
【産業上の利用分野】本発明は、枚葉印刷機デリバリ部の集塵装置に係り、特にデリバリ部において印刷紙のブロッキングを防止するための粉末が散布されるデリバリ部に適用するのに好適な枚葉印刷機デリバリ部の集塵装置に関する。
【０００２】
【従来の技術】一般に枚葉印刷機では、印刷処理後の紙がデリバリ部に搬送され、ここで印刷紙の裏写りや紙の密着による不都合を改善するためにブロッキング防止パウダーが散布されるようになっている。このブロッキング防止パウダーは一般的に７０μｍ以下、特に１０〜３０μｍの範囲の粉末であり、これを散布装置によって霧化状態にして散布し、デリバリ部内を搬送されている印刷紙の表面に付着させるようにしている。このようなブロッキング防止パウダーがデリバリハウジング内で浮游すると、装置機器類に付着して、搬送印刷紙へのぼた落ち等による問題があるため、従来から集塵装置がこの印刷機デリバリ部に装備されている。
【０００３】従来の集塵装置は、デリバリ部ハウジングの上部カバーに吸引フードを取り付け、このフードに接続される吸引通路を通じてハウジング内の空気を浮游ブロッキング防止パウダーとともに吸引し、フィルタによってパウダーを捕集するようにしている。
【０００４】
【発明が解決しようとする課題】しかし、
従来の集塵装置では、
集塵効果が低い
装置の大型化には限度があるため
デリバリ部における搬送印刷紙を吸引するサクションロール等の吸引装置がパウダーを吸引してしまい、これらの吸引装置に付帯されているフィルタを早期に目詰まりさせてフィルタ交換が早まってしまう問題があった
【０００５】本発明は、上記従来の問題点に着目し、印刷機デリバリ部でのブロッキング防止パウダーの散布により搬送印刷紙に付着せずに余剰となった浮游パウダーを集塵するに際して、デリバリ部内で搬送印刷紙へのパウダー付着効率を向上させると同時に、効果的に集塵をなすことができ、集塵のための設備増大をもたらすことのない枚葉印刷機デリバリ部の集塵装置を提供することを目的とする。
【０００６】
【課題を解決するための手段】上記目的を達成するために、本発明に係る枚葉印刷機デリバリ部の集塵装置は、ブロッキング防止パウダーが散布される枚葉印刷機のデリバリ部における集塵装置であって、枚葉紙搬送経路に配置されてなる搬送印刷紙ガイド板に搬送印刷紙を吸着させる吸着ファンの排風側を覆うカバーを設け、当該カバーに接続される吸引通路に前記カバー内空気を吸引する吸引手段を配置し、このカバー内空気吸引手段に至る経路の途中にサイクロン型集塵手段を設けたことを特徴とするものである。この場合において、前記サイクロン型集塵手段の下流側にフィルタを配置するようにすることができる。
【０００７】また、本発明の他の構成に係る枚葉印刷機デリバリ部の集塵装置は、ブロッキング防止パウダーが散布される枚葉印刷機のデリバリ部における集塵装置であって、枚葉紙搬送経路に配置されてなる搬送ライン面に
搬送印刷紙を吸着させる吸引部から吸引手段に至る経路の途中に
【０００８】この場合においても、前記
サイクロン型集塵手段の下流側にフィルタを配置する
搬送印刷紙吸引部は
サクションローラとされ、これ
の
吸引通路に前記サイクロン型集塵手段を配置し、あるいはその下流側にフィルタとを配置するように構成して、これらの吸引作用を利用して集塵させるようにする
【０００９】
【作用】
上記構成によれば、
パイリングのために搬送速度を低下させる等のために、
吸引手段が設けられている
サイクロン型集塵手段で粉体としてのパウダーの殆どが取り除かれ、直接吸引手段に流れるか、あるいはその後の微量のパウダーが含有されたエアが後段のフィルタに導入される。これによりほぼ完全にパウダーが集塵されることとなる
集塵作用はデリバリ部に設けられた搬送印刷紙の吸引部に装置されているので、デリバリ部のハウジングを改変することがなくなり、
付帯されている吸引手段の吸引通路に設けるだけであるので、簡単に現状装置に組込むことができるとともに、搬送印刷紙側から直接的に吸引するので、搬送印刷紙へのブロッキング防止パウダーを付着させる効果を高めながら集塵効果を向上し、粉塵の回収率を向上させ、フィルタメンテナンスが伸びる利点が得られる
　
４　対比
　本願補正発明と引用発明１とを対比する。
（１）引用発明１の「印刷された被印刷物」は、枚葉オフセット印刷装置における「被印刷物」であるから、「枚葉」の「被印刷物」であるといえる。
　したがって、引用発明１の「印刷された被印刷物」は、本願補正発明の「印刷されたシート状物」に相当する。
（２）引用発明１の「第１パイル部及び第２パイル部」は、パイル部が「２つ」即ち「複数」あるから、本願補正発明の「複数のシート状物積載装置」に相当する。
（３）引用発明１の「デリバリーチェーン」、「パイル部」、「移動方向」、「ブロッキング防止のためのパウダー」、「散布する」、「パウダースプレー装置」、「枚葉オフセット印刷装置」、「最上流側に位置する第１パイル部」及び「印刷ユニット」は、それぞれ、本願補正発明の「シート状物搬送手段」、「シート状物積載装置」、「搬送方向」、「スプレー粉」、「噴射する」、「スプレー粉噴射装置」「印刷機」、「最上流側に位置するシート状物積載装置」及び「印刷ユニット」に相当する。　
（４）引用発明１の「枚葉オフセット印刷装置の被印刷物をパイル部に排出するデリバリー部」は、「印刷されたシート状物（印刷された被印刷物）」を「シート状物積載装置（パイル部）」に排出しているから、本願補正発明の「シート状物排出装置」に相当する。
（５）引用発明１の「スプレー粉噴射装置（パウダースプレー装置）」は、「１台しか装備されておらず、該１台のパウダースプレー装置を、最上流側に位置する第１パイル部と、印刷ユニットとの間に設けた」ものであるから、本願補正発明の「スプレー粉噴射装置」と、「前記シート状物搬送手段によるシート状物の搬送方向の最上流側に位置するシート状物積載装置と印刷ユニットとの間のみに設けた」点で一致する。
（６）上記（１）ないし（５）からみて、本願補正発明と引用発明１とは、
　
　「印刷されたシート状物を搬送するシート状物搬送手段と、このシート状物搬送手段の搬送方向に並べられシート状物を積載する複数のシート状物積載装置と、前記シート状物にスプレー粉を噴射するスプレー粉噴射装置とを備えた印刷機のシート状物排出装置において、前記スプレー粉噴射装置を前記シート状物搬送手段によるシート状物の搬送方向の最上流側に位置するシート状物積載装置と印刷ユニットとの間のみに設けた印刷機のシート状物排出装置。」の点で一致し、以下の点で相違する。
　
＜相違点＞
　本願補正発明が「『飛散したスプレー粉を吸い込む集塵装置』を備え、『前記集塵装置を第１の集塵装置と第２の集塵装置とで構成し、前記第１の集塵装置を、最上流側に位置するシート状物積載装置よりもシート状物搬送手段によるシート状物の搬送方向の上流側またはこの最上流側に位置するシート状物積載装置の上方に設けるとともに、前記第２の集塵装置を、搬送方向に並べられたシート状物積載装置間に設けた』」と特定されているのに対し、引用発明１は「集塵装置」を有しない点。
　
５　判断
　上記相違点について検討する。
（１）印刷機（印刷ユニット）により枚葉印刷した後の印刷紙をシートパイル装置などにそのまま堆積させると印刷紙の裏写りや紙の密着などの好ましくないこと（不都合）が生じるので、印刷機から堆積する場所まで搬送されている途中の印刷紙に裏写り防止やブロッキング防止のためのパウダーを散布する散布装置を設けたデリバリ部において、散布したパウダーが飛散・浮遊し装置機械類に付着して搬送印刷紙へぼた落ちするなどの害を及ぼす問題があるため、飛散・浮遊したパウダーを吸引しフィルタによって捕集する集塵装置を散布箇所の近くに設置したものは、本願出願前に周知である（例：実願平３−１６４７号（実開平４−９８１４０号）のマイクロフィルム（【０００１】〜【０００４】参照。）、特開平４−４３０３８号公報（１ページ左下欄１５行〜２ページ右上欄２行、３ページ左下欄２０行〜右下欄８行及び図１参照。「排紙部」が「デリバリ部」に相当する。）、引用例２（【０００２】、【０００３】、【００１５】、【００１６】及び図１の「上下のシートガイド３０や４２、４４、４６、４８、５０、５２、５４、５６」参照。）。以下「周知技術１」という。）から、引用発明１において、最上流側に位置する第１パイル部と、印刷ユニットとの間に設けられ、被印刷物に裏写り防止やブロッキング防止のためのパウダーを散布するパウダースプレー装置の近くに、飛散・浮遊したパウダーを吸引しフィルタによって捕集する集塵装置を設置して、散布したパウダーが飛散・浮遊し装置機械類に付着して搬送印刷紙へぼた落ちするなどの害を軽減させることは、当業者が周知技術１に基づいて容易に想到することができたことである。
（２）上記３（３）からみて、引用例２には、「従来の集塵装置では、集塵効果が低く、装置の大型化には限度があるため、デリバリ部における搬送印刷紙を吸引するサクションロール等の吸引装置がパウダーを吸引してしまい、これらの吸引装置に付帯されているフィルタを早期に目詰まりさせてフィルタ交換が早まってしまう問題があったので、パイリングのために搬送速度を低下させるために設けられている搬送印刷紙を吸着させるサクションローラ（吸引部）から吸引手段に至る経路（吸引通路）の途中にサイクロン型集塵手段を配置し、その下流側にフィルタとを配置するように構成して、これらの吸引作用を利用して集塵させるようにし、デリバリ部のハウジングを改変することなく、デリバリ部内に付帯されている吸引手段の吸引通路に設けるだけで、簡単に現状装置に組込むことができるとともに、このサイクロン型集塵手段で粉体としてのパウダーの殆どを取り除き、その後の微量のパウダーが含有されたエアを後段のフィルタに導入することによりほぼ完全にパウダーを集塵し、搬送印刷紙側から直接的に吸引するので、搬送印刷紙へのブロッキング防止パウダーを付着させる効果を高めながら集塵効果を向上し、粉塵の回収率を向上させ、フィルタメンテナンスが伸びる利点が得られるデリバリ部の集塵装置。」の発明（以下「引用発明２」という。）が記載されているものと認められる。
（３）しかるところ、引用発明１の「枚葉オフセット印刷装置のデリバリー部」は、「印刷された被印刷物を搬送させるデリバリーチェーンと、当該デリバリーチェーンの移動方向に並べられた第１パイル部及び第２パイル部と、被印刷物にブロッキング防止のためのパウダーを散布するパウダースプレー装置」とを備えたものであり、かつ、第１パイル及び第２パイルを設け、第１パイルと第２パイルとの間に印刷された紙を吸引し減速させる吸引車が設けられている排紙装置は、本願出願前に周知である（例．実願平４−７７２７５号（実開平６−３９８４８号）のＣＤ−ＲＯＭ（【０００２】〜【０００８】、及び図５参照。）、特開昭６３−２８２０４１号公報（３ページ右上欄１５行〜同頁左下欄６行及び第３図参照。）、実願昭６２−１１３８１５号（実開昭６４−２１１６５号）のマイクロフィルム（３ページ１５行〜４ページ８行及び第６図参照。「パイル形成ボード１０２ａ，１０２ｂ」が「第１パイル及び第２パイル」に相当する。）。以下「周知技術２」という。）から、引用発明１において、第１パイル部と第２パイル部との間に、パイリングのために印刷紙の搬送速度を低下させるために吸引車（サクションローラ）を設け、かつ、その吸引車から吸引手段に至る経路の途中にサイクロン型集塵手段を配置し、その下流側にフィルタとを配置するように構成して、これらの吸引作用を利用して集塵させるようにし、デリバリ部のハウジングを改変することなく、デリバリ部内に付帯されている吸引手段の吸引通路に設けるだけで、簡単に現状装置に組込むことができるとともに、このサイクロン型集塵手段で粉体としてのパウダーの殆どを取り除き、その後の微量のパウダーが含有されたエアを後段のフィルタに導入することによりほぼ完全にパウダーを集塵し、搬送印刷紙側から直接的に吸引するので、搬送印刷紙へのブロッキング防止パウダーを付着させる効果を高めながら集塵効果を向上し、粉塵の回収率を向上させ、フィルタメンテナンスが伸びる利点を得るようにすることは、当業者が引用発明２及び周知技術２に基づいて容易になし得た程度のことである。
（４）引用発明１において、パウダースプレー装置に近い場所は、最上流側に位置する第１パイル部と印刷ユニットとの間あたりになるから、上記（１）及び（３）からみて、引用発明１において、飛散したスプレー粉を吸い込む第１の集塵装置を、最上流側に位置するシート状物積載装置よりもシート状物搬送手段によるシート状物の搬送方向の上流側またはこの最上流側に位置するシート状物積載装置の上方に設けるとともに、飛散したスプレー粉を吸い込む第２の集塵装置を、搬送方向に並べられたシート状物積載装置間に設けて、上記相違点に係る本願補正発明の構成となすことは、当業者が引用発明２及び周知技術１及び２に基づいて容易になし得た程度のことである。
（５）そして、本願補正発明の奏する効果は、引用発明１の奏する効果、引用発明２の奏する効果、周知技術１の奏する効果及び周知技術２の奏する効果から当業者が予測できた程度のものである。
（６）以上の検討によれば、本願補正発明は、当業者が、引用例１に記載された発明、引用例２に記載された発明、周知技術１及び周知技術２に基づいて容易に発明することができたものであるから、特許法第２９条第２項の規定により特許出願の際独立して特許を受けることができないものである。
　
６　小活
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１　本願発明
　本件補正は上記のとおり却下されたので、本願の請求項１に係る発明は、願書に最初に添付した明細書及び図面の記載からみて、その特許請求の範囲の請求項１に記載された事項により特定されるものであるところ、その請求項１に係る発明（以下「本願発明」という。）は、上記「第２〔理由〕１（１）」で本件補正前の請求項１として記載したものである。
　
２　刊行物
　原査定の拒絶の理由に引用された刊行物及びその記載事項は、前記「第２〔理由〕３」に記載したとおりである。
　
３　対比・判断
　本願補正発明は、前記「第２〔理由〕１（２）」で検討したとおり、本願発明の発明特定事項を限定したものである。
　そうすると、本願発明の発明特定事項を全て含み、さらに限定を付加したものに相当する本願補正発明が、前記「第２〔理由〕５」に記載したとおり、当業者が引用例１に記載された発明、引用例２に記載された発明、周知技術１及び周知技術２に基づいて容易に発明をすることができたものであるから、本願発明も、同様の理由により、当業者が引用例１に記載された発明、引用例２に記載された発明、周知技術１及び周知技術２に基づいて容易に発明をすることができたものである。
　
４　むすび
　以上のとおり、本願発明は、当業者が引用例１に記載された発明及び引用例２に記載された発明、周知技術１及び周知技術２に基づいて容易に発明をすることができたものであるから、特許法第２９条第２項の規定により特許を受けることができない。
　よって、結論のとおり審決する。